(57)【要約】      （修正有）【課題】充填材を収容した枕や布団、座布団を含むクッション等の寝具類や、クッション部を備えたソファー、座椅子を含む家具類に好適で、表地の一部を利用してインナーバッグを合理的かつ安価に製作するとともに、充填材の移動を抑制し、頭部や座部の高さを安定して維持し、例えばソファーや椅子の背当部または座部の形態とクッションの感触を長期に亘って得られ、しかもそれらの変状を抑制して快適な睡眠と安定した着座姿勢を得られる、寝具および家具類の充填材収納システムを提供する。【解決手段】充填材を充填した寝具および家具類の内部に充填材を収納したインナーバッグ３を配置した寝具および家具類の充填材収納システムであること。前記インナーバッグ３を、寝具または家具類の表地５と、該表地５の内側に配置する中当地６とで構成する。前記中当地６の側端部を裕度を持って表地５に取付ける。前記インナーバッグ３を内側へ膨出可能にする。【選択図】図１
2017060665.tif 000002
【特許請求の範囲】
【請求項１】
充填材を充填した寝具および家具類のクッション部の内部に、充填材を収納したインナーバッグを配置した寝具および家具類の充填材収納システムにおいて、前記インナーバッグを寝具または家具類の表地と、該表地の内側に配置する中当地とで構成し、前記中当地の側端部を裕度を持って表地に取付け、前記インナーバッグを内側へ膨出可能にしたことを特徴とする寝具および家具類の充填材収納システム。
【請求項２】
前記中当地の両端部を前記表地の内側にタックまたはギャザーを介して縫着した請求項１記載の寝具および家具類の充填材収納システム。
【請求項３】
前記中当地の幅を、中当地を取付ける表地の装着域の取付幅よりも幅広に形成した請求項２記載の寝具および家具類の充填材収納システム。
【請求項４】
前記中当地の長さを、前記表地の装着域の長さと同長またはそれ以上に形成した請求項３記載の寝具および家具類の充填材収納システム。
【請求項５】
前記寝具または家具類のクッション部の内部に複数のインナーバッグを設けた請求項１記載の寝具および家具類の充填材収納システム。
【請求項６】
前記寝具または家具類のクッション部の上面または下面若しくは側面の内側に、一または複数のインナーバッグを設けた請求項５記載の寝具および家具類の充填材収納システム
【請求項７】
前記インナーバッグの直下に、寝具または家具類の内部に充填した充填材を配置した請求項１記載の寝具および家具類の充填材収納システム。
【請求項８】
前記充填材は、充填材は、化繊綿、樹脂チップ、発泡粒子、ゲル状のジェル、木材チップ、そば殻、茶葉、絹綿、羽毛、水等のクッション材である請求項１記載の寝具および家具類の充填材収納システム。
【請求項９】
前記寝具類は枕またはクッションであり、前記家具類はソファーまたは座椅子を含む椅子である請求項１記載の寝具および家具類の充填材収納システム。
【発明の詳細な説明】
【技術分野】
【０００１】
本発明は、例えば充填材を収容した枕や布団、座布団を含むクッション等の寝具類や、クッション部を備えたソファー、座椅子を含む椅子等の家具類に好適で、表地の一部を利用してインナーバッグを合理的かつ安価に製作するとともに、充填材の移動を抑制し、頭部や座部の高さを安定して維持し、例えばソファーや椅子の背当部または椅子の座部の形態とクッションの感触を長期に亘って得られ、しかもそれらの変状を抑制して快適な睡眠と安定した着座姿勢を得られる、寝具および家具類の充填材収納システムに関する。
【背景技術】
【０００２】
例えば従来の枕の中に、枕の上面布と下面布との間に複数の仕切布を弛緩状態で縫着し、枕の内部を複数の室に区画して、室からの充填材の移動を防止し、枕の一定の高さを維持するようにしたものがある（例えば、特許文献１参照）。
【０００３】
しかし、この枕は仕切布の縫着部が凹み、上面布や下面布が山状に形成されるため、それらに頭部を載せた際に違和感があって快適な使用状態を得られず、また上面布や下面布に縫着線が目立って体裁が悪いという問題があった。
【０００４】
また別の枕に、枕ケースの第１および第２面生地に第１および第２側隔壁生地を縫着し、第１および第２面生地の間に略く字型の第１および第２中央隔壁生地を縫着し、枕の両側に第１および第２側部を山形に突設し、それらの間に山形の第１および第２頚椎支持部と後頭部支持部を突設したものがある（例えば、特許文献２参照）。
【０００５】
しかし、この枕は第１および第２面生地や第１および第２中央隔壁生地を要して構造が複雑で製作が難しく、しかも第１および第２側部に山形の第１および第２側部と第１および第２頚椎支持部と後頭部支持部を突設するため、それらに頭部を載せた際に違和感があって快適な使用状態を得られないという問題があった。
【０００６】
このような問題を解決するものとして、枕ケースの上面生地と下面生地の間に、一対の仕切壁を上向きに斜状に対向して配置し、この仕切壁の間に中央横仕切壁を斜状に配置し、各仕切壁で区画した室に芯材を充填し、各室の芯材による段差の発生を防止するとともに、複数の芯材の重合によって、単一芯材では得られない感触を得られるようにしたものがある（例えば、特許文献３参照）。
【０００７】
しかし、この枕は斜状に配置する複数の仕切壁を要し、その構成と縫着が複雑で難しくなる上に、各室に種々の芯材を充填するため、種々の芯材とその充填を要して作業が煩雑になり、しかも枕ケースの側面生地に芯材を出し入れする複数の開口部とファスナーを要するため、構成と製作が更に複雑になるという問題があった。
【０００８】
そこで、上記問題を解決するものとして、枕ケースの長さ方向の中央部で利用者の頭部が置かれる位置に、芯材を囲む傾斜仕切り壁を枕ケースの上面生地から下面生地に縫着し、前記傾斜仕切り壁の高さを上面生地と下面生地の間隔よりも若干低く形成し、上面生地側の傾斜仕切り壁で囲まれた部分を利用者の頭部が収まる大きさとし、傾斜仕切り壁全体を上面生地側から下面生地側に上向きの傾斜面とし、首側では傾斜仕切り壁が枕ケースの首側生地から離れた位置に配置し、枕ケースの表面の中央部に窪み部を形成して、下面生地側が殆ど変形しない理想的な枕の形状を形成したものがある（例えば、特許文献４参照）。
【０００９】
しかし、この枕は傾斜仕切り壁とその周辺の構成が複雑で製作が難しい上に、枕ケースの側面生地に芯材を出し入れする複数の開口部とファスナーを要するため、構成が更に複雑になるという問題があった。
【００１０】
一方、羽毛を充填した枕本体の内部に、ウレタンフォームを充填した内袋を収容した枕がある（例えば、特許文献５参照）。
【００１１】
しかし、この枕は枕本体の内部に内袋を緊密に配置しているため、枕本体に頭部を載せて使用すると、内袋ないし枕本体が頭部に圧迫されて上下方向に膨出し、かつ短小になって所定の形状寸法が失なわれ、枕本体が不安定で高さが高くなり、使用者の頚椎を高位置で支持して快適な睡眠状態を得られなくなるととともに、内袋の生地に枕本体の表地と別個の布地を使用しているため、内袋の生地代が嵩み、また製作に手間が掛かって高価になる等の問題があった。
【００１２】
ところで、ソファーや座椅子を含む椅子等の家具は、背当部または座部に充填材を充填してクッション性を持たせているが、それらの使用形態によって充填材が経年的に落下し或いは変状して、所期のクッション性が失われてしまうという等の問題があった。
【先行技術文献】
【特許文献】
【００１３】
【特許文献１】実開平７−３６８３４号公報
【特許文献２】特開２００３−１８０４９９号公報
【特許文献３】特開２００５−２８７５３５号公報
【特許文献４】特開２０１０−６９２０２号公報
【特許文献５】実開平２−８８５７５号公報
【発明の開示】
【発明が解決しようとする課題】
【００１４】
本発明はこのような問題を解決し、例えば充填材を収容した枕や布団、座布団を含むクッション等の寝具類や、クッション部を備えたソファー、座椅子を含む椅子等の家具類に好適で、表地の一部を利用してインナーバッグを合理的かつ安価に製作するとともに、充填材の移動を抑制し、頭部や座部の高さを安定して維持し、例えばソファーや椅子の背当部または座部の形態とクッションの感触を長期に亘って得られ、しかもそれらの変状を抑制して快適な睡眠と安定した着座姿勢を得られる、寝具および家具類の充填材収納システムを提供することを目的とする。
【課題を解決するための手段】
【００１５】
請求項１の発明は、充填材を充填した寝具および家具類のクッション部の内部に、充填材を収納したインナーバッグを配置した寝具および家具類の充填材収納システムにおいて、前記インナーバッグを寝具または家具類の表地と、該表地の内側に配置する中当地とで構成し、前記中当地の側端部を裕度を持って表地に取付け、前記インナーバッグを内側へ膨出可能にし、インナーバッグを合理的かつ安価に製作するとともに、充填材の移動を抑制し、頭部や座部の高さを安定して維持し、例えばソファーや椅子の背当部または座部の形態とクッションの感触を長期に亘って得られ、しかもそれらの変状を抑制して所期の使用状態を得られるようにしている。
【００１６】
請求項２の発明は、中当地の両端部を表地の内側にタックまたはギャザーを介して縫着し、表地に対する中当地の裕度付与手段として簡便なタックまたはギャザーを用い、インナーバッグを容易かつ安価に製作し得るようにしている。
請求項３の発明は、中当地の幅を、中当地を取付ける表地の装着域の取付幅よりも幅広に形成し、中当地の形状寸法を膨出可能に合理的に形成して、中当地の側端部を裕度を持って表地に取付け可能にし、タックまたはギャザーを容易に形成し得るようにしている。
請求項４の発明は、中当地の長さを、前記表地の装着域の長さと同長またはそれ以上に形成し、中当地の形状寸法を合理的かつ具体的に形成するようにしている。
【００１７】
請求項５の発明は、寝具または家具類のクッション部の内部に複数のインナーバッグを設け、インナーバッグによる頭部または背当部、座部の高さの安定性維持効果を増進し、快適な睡眠と安定した着座姿勢を得られるとともに、所定の形状寸法を確実かつ精密に得られて使用時における変状を抑制し、またソファー等の背当部の形態や椅子のクッションの感触を長期に亘って得られ、それらの当初の形状寸法を維持して所期の使用状態を得られるようにしている。
請求項６の発明は、寝具または家具類のクッション部の上面または下面若しくは側面の内側に、一または複数のインナーバッグを設けて、インナーバッグによる多様な感触と効能を得られるようにしている。
【００１８】
請求項７の発明は、インナーバッグの直下に、寝具類の内部に充填した充填材を配置し、各場所において双方の充填材を良好に馴染ませ、異種充填材の接触に伴う違和感を解消し、新たな感触を得られるようにしている。
請求項８の発明は、充填材は、化繊綿、樹脂チップ、発泡粒子、ゲル状のジェル、木材チップ、そば殻、茶葉、絹綿、羽毛、水等のクッション材であり、多様な充填材を選択して、所望の感触と効能を得られるようにしている。
請求項９の発明は、寝具類は枕またはクッションであり、前記家具類はソファーまたは座椅子を含む椅子であり、枕またはクッションを使用した際の快適な睡眠と安定した着座姿勢を得られるとともに、ソファーまたは椅子の背当部や座部に使用した際の快適なクッション性と経年的な形態の変状を防止し得るようにしている。
【発明の効果】
【００１９】
請求項１の発明は、インナーバッグを寝具または家具類の表地と、該表地の内側に配置する中当地とで構成し、前記中当地の側端部を裕度を持って表地に取付け、前記インナーバッグを内側へ膨出可能にしたから、インナーバッグを合理的かつ安価に製作できるとともに、充填材の移動を抑制し、頭部や座部の高さを安定して維持し、例えばソファーや椅子の背当部または座部の形態とクッションの感触を長期に亘って得られ、しかもそれらの変状を抑制して所期の使用状態を得られる効果がある。
【００２０】
請求項２の発明は、中当地の両端部を表地の内側にタックまたはギャザーを介して縫着したから、表地に対する中当地の裕度付与手段として簡便なタックまたはギャザーを用い、インナーバッグを容易かつ安価に製作することができる。
請求項３の発明は、中当地の幅を、中当地を取付ける表地の装着域の取付幅よりも幅広に形成したから、中当地の形状寸法を膨出可能に合理的に形成して、中当地の側端部を裕度を持って表地に取付け可能にし、タックまたはギャザーを容易に形成することができる
請求項４の発明は、中当地の長さを、前記表地の装着域の長さと同長またはそれ以上に形成したから、中当地の形状寸法を合理的かつ具体的に形成することができる。
【００２１】
請求項５の発明は、寝具または家具類のクッション部の内部に複数のインナーバッグを設けたから、インナーバッグによる頭部、背当部または座部の高さの安定性維持効果を増進し、快適な睡眠と安定した着座姿勢を得られるとともに、所定の形状寸法を確実かつ精密に得られて使用時における変状を抑制し、またソファー等の背当部の形態や、椅子のクッションの感触を長期に亘って得られ、それらの当初の形状寸法を維持して所期の使用状態を得られる効果がある。
請求項６の発明は、寝具または家具類のクッション部の上面または下面若しくは側面の内側に、一または複数のインナーバッグを設けたから、インナーバッグによる多様な感触と効能を得られる効果がある。
【００２２】
請求項７の発明は、インナーバッグの直下に、寝具または家具のクッション部の内部に充填した充填材を配置したから、各場所において双方の充填材を良好に馴染ませ、異種充填材の接触に伴う違和感を解消し新規な感触を得られる効果がある。
請求項８の発明は、充填材は、化繊綿、樹脂チップ、発泡粒子、ゲル状のジェル、木材チップ、そば殻、茶葉、絹綿、羽毛、水等のクッション材であるから、多様な充填材を選択して所望の感触と効能を得られ効果がある。
請求項９の発明は、寝具類は枕またはクッションであり、前記家具類はソファーまたは座椅子を含む椅子であるから、枕またはクッションを使用した際の快適な睡眠と安定した着座姿勢を得られるとともに、ソファーまたは椅子の背当部や座部に使用した際の快適なクッション性と経年的な形態の変状を防止し得る効果がある。
【図面の簡単な説明】
【００２３】
【図１】本発明を適用した枕の斜視図で、その片側の内部にインナーバッグを設けている。
【図２】図１のＡ−Ａ線に沿う拡大断面図である。
【図３】（ａ）は本発明の要部を示すインナーバッグの底面図で、表地と中当地とタックないしギャザーの形成状態を拡大して示している。（ｂ）は前記（ａ）のＢ−Ｂ線に沿う断面図、（ｃ）は前記（ａ）のＣ−Ｃ線に沿う断面図で、タックないしギャザー部の皺を付記している。
【図４】本発明を適用した枕の作成に使用した表地の形状寸法を示す正面図である。
【００２４】
【図５】本発明を適用した枕のインナーバッグの作成に使用した中当地の形状寸法を示す正面図である。
【図６】本発明を適用した枕の作成に使用した表地と中当地の取付け状態を示す正面図である。
【図７】図６の要部を拡大して示す正面図で、表地に取付けた中当地の両側に複数のタックないしギャザーを形成している。
【００２５】
【図８】本発明を適用した枕の他の実施形態を示す斜視図である。
【図９】図８のＤ−Ｄ線に沿う拡大断面図である。
【図１０】図９の内部を示す正面図で、インナーバッグの下方から見ている。
【発明を実施するための最良の形態】
【００２６】
以下、本発明を寝具である枕に適用した図示の実施形態について説明すると、図１乃至図７において１は平面視が横長矩形の枕の表面布で、その長さ方向の中央に短小の仕切片２が配置され、その上下端縁を表面布１の上面１ａと下面１ｂに内側に縫着している。
【００２７】
前記上面１ａの内側の一側にインナーバッグ３が設けられ、該インナーバッグ３は両側端部に複数のタック４またはギャザーを形成し、インナーバッグ３を内側に膨出し、その容積を拡張可能にしている。
この場合、インナーバッグ３は上面１ａの内側の一側に限らず、この他側、または上面１ａ若しくは下面１ｂの中間位置、或いは枕の前後または左右の側面１１，１２に設けることも可能である。
【００２８】
前記インナーバッグ３は表面布１を構成する横長矩形の表地５と、表地５の内側に縫着する横長矩形の中当地６とで構成され、それらの横方向の長さＬ，ｍは同長に形成され（Ｌ＝ｍ）、またそれらの幅Ｄ，ｄは表地５の方が大きく形成され（Ｄ＞ｄ）、かつ中当地６の幅ｄは、表地５の装着域Ｚにおける取付幅ｈよりも大きく形成されている（ｄ＞ｈ）
【００２９】
この場合、中当地６は表面布１の内側に配置されるから、中当地６の長さｍは表地５の長さＬよりも長くしても（ｍ＜Ｌ）、枕の外観を損ねることはない。また、表地５と中当地６を矩形に形成しているが、円形、楕円形、三角形等の多角形の他に、例えば星形、ハート形、動物のキャラクタ−等、種々の形状に形成することが可能である。
【００３０】
そして、前記表地５と中当地６を用いてインナーバッグ３を製作する場合は、装着域Ｚの基端部に中当地６の基端部を揃えて重合し、その重合部の取付幅ｈの相当部を長さ方向に沿って縫着する。７，７はその縫着部である。
この場合、中当地６の幅ｄは、表地５の装着域Ｚにおける取付幅ｈよりも大きく形成されているため、中当地６の幅方向の余剰部にタックまたはギャザー４を任意に縫着して形成し得る。８，８はその縫着部である。
【００３１】
図中、９は枕の内部に収納した充填材で、化繊綿、樹脂チップ、発泡粒子、ゲル状のジェル、木材チップ、そば殻、茶葉、絹綿、羽毛、水等のクッション材の一を選択して使用しており、１０はインナーバッグ３の内部に収納した充填材で、化繊綿、樹脂チップ、発泡粒子、ゲル状のジェル、木材チップ、そば殻、茶葉、絹綿、羽毛、水等のクッション材の一を選択して使用しており、また枕内部とインナーバッグ３の充填材９，１０を互いに同一または異種のものを用いることができる。
【００３２】
前記左右の側面１２の一方に開口部（図示略）を設け、この開口部から枕内部に充填材を出し入れ可能にし、また側面１１の一方に開口部（図示略）を設け、この開口部からインナーバッグ３に充填材を出し入れ可能にし、その開口縁にファスナー（図示略）を開閉可能に取り付けている。この場合、インナーバッグ３の開口部を省略し、または縫着して閉塞することも可能である。
【００３３】
このように構成した実施形態の枕を製作する場合は、表面布１を構成する化繊、木綿等の適宜材質の表地５と、表地５の内側に縫着する適宜材質の中当地６とを用意し、これらを所定寸法に裁断する。
それらの形状寸法は、枕とインナーバッグ３が横長矩形の場合、図４及び図５のように表地５と中当地６の横方向の長さＬ，ｍを同長に形成し（Ｌ＝ｍ）、或いは（Ｌ＜ｍ）に形成し、それらの幅Ｄ，ｄをＤ＞ｄに形成し、かつ中当地６の幅ｄを表地５における装着域Ｚの取付幅ｈよりも大きく形成する（ｄ＞ｈ）。
したがって、中当地６の幅ｄは、取付幅ｈとの差分（ｄ−ｈ）幅広に形成され、その差分がインナーバッグ３の容積拡張ないし膨出に充当される。
【００３４】
こうして表地５と中当地６を裁断後、装着域Ｚの基端部、例えば一端に中当地６の基端部を揃えて重合し、その重合部の取付幅ｈの相当部を縫着７，７する。
このようにすると、中当地６はその幅ｄと表地５における取付幅ｈとの差分（ｄ−ｈ）の余剰分が弛緩状態に形成され、この弛緩部分を適宜折畳んで表地５に縫着８，８し、複数のタック４またはギャザーを形成する。この状況は図３のようである。
したがって、インナーバッグ３は、中当地６の幅ｄを取付幅ｈと同長に形成した場合に比べて容積増加を図れ、内側へ膨出可能になる。
【００３５】
こうして中当地６の両側にタック４またはギャザーを形成して表地５に縫着後、表地５の中央部に仕切片２の上下端縁を縫着して取付け、表地５の端縁および側端縁を縫着する
この後、側面１１に設けた開口部（図示略）と、側面１２に設けた開口部（図示略）から、充填材９，１０を充填して枕の内部とインナーバッグ３の内部を充填し、一連の製作を終了する。
【００３６】
こうして製作した枕は、仕切片２によって上下面１ａ，１ｂの上下変位が抑制され、枕の高さの変化を抑制するとともに、インナーバッグ３の下方に充填材９が位置してインナーバッグ３を支持し、隣接する異種同士の充填材９，１０の馴染みを促して、インナーバッグ３の穏やかな動作を促すとともに、異種同士の充填材９，１０の感触を得られる。
【００３７】
また、前記充填材９，１０を充填する際、中当地６の幅ｄは、取付幅ｈとの差分（ｄ−ｈ）幅広に形成されているから、中当地６の幅ｄを取付幅ｈと同幅に形成した場合に比べて前記差分相当、インナーバッグ３の容積の増加を図れる。
【００３８】
そこで、インナーバッグ３に充填材１０を所要量充填すると、インナーバッグ３がタック４またはギャザーを介して上下に膨出して容積が増加するため、充填後、インナーバッグ３における充填材１０の占有容積が相対的に低下し、その上下方向の膨出を抑制する。
【００３９】
したがって、このような枕を使用して、インナーバッグ３の直上の上面１ａに頭部を載せると、頭部の圧迫によってインナーバッグ３が膨出し、枕の高さが高くなる。
しかし、前述のようにインナーバッグ３における充填材１０の占有容積が相対的に低下しているため、インナーバッグ３に対する頭部の圧迫が低減され、インナーバッグ３ないし枕の膨出が抑制されて枕の高さの変化が抑制され、所期の形状寸法を維持して使用時の変状を抑制する。
【００４０】
しかも、インナーバッグ３の直下に寝具内の充填材９が圧迫を抑制されて位置しているため、双方の充填材１０，１１が良好に馴染み、それらの作用が相互に発揮されて穏やかな感触を得られる。
それゆえ、このような枕を使用すれば使用者の頚椎を所期の位置で支持して快適な睡眠を得られ、またクッション等に使用すれば安定した着座姿勢を得られる。
【００４１】
図８乃至図１０は本発明の他の実施形態を示し、前述の実施形態と対応する構成部分に同一の符号を用いている。
この実施形態は本発明を同じく枕に適用しており、その内部の一側にインナーバッグ３を配置し、この他側部に別のインナーバッグ１１，１２を互いに離間して配置している。
前記インナーバッグ１１，１２は平面視略三角形の略同形に形成され、その内部に同様な充填材１０，１０を充填している。
【００４２】
前記実施形態は枕の内部に、インナーバッグ３と、別のインナーバッグ１１，１２を配置し、それらによってインナーバッグ３，１３，１４の膨出を確実かつ強力に抑制し、枕の高さの変化を抑制して使用者の頚椎を適性位置で確実に支持し、快適な睡眠を得られるとともに、安定した着座姿勢を得られるようにしている。
【００４３】
なお、前述の実施形態では本発明を枕等の寝具に適用しているが、これを家具であるソファーや座椅子を含む椅子の背当部、または座部に適用することも可能であり、それらに前述のインナーバッグを設ければ前述と同様な効果が得られ、従来のように背当部の使用形態によって充填材が経年的に落下して変状し、所期のクッション性が失われてしまうという不具合を解消し得る。
【産業上の利用可能性】
【００４４】
このように本発明の寝具および家具類の充填材収納システムは、表地の一部を利用してインナーバッグを合理的かつ安価に製作するとともに、充填材の移動を抑制し、頭部や座部の高さを安定して維持し、例えばソファーや座椅子を含む椅子の背当部または座部の形態とクッションの感触を長期に亘って得られ、しかもそれらの変状を抑制して快適な睡眠と安定した着座姿勢を得られるから、例えば充填材を収容した枕や布団、座布団を含むクッション等の寝具類や、クッション部を備えたソファー、座椅子を含む椅子等の家具類に好適である。
【符号の説明】
【００４５】
１ａ                    上面
１ｂ                    下面
３                      インナーバッグ
４                      タックまたはギャザー
５                      表地
６                      中当地
９，１０                充填材
【００４６】
１１，１２              側面
１３，１４              インナーバッグ
Ｄ                      表地の幅
Ｌ                      表地の長さ
Ｚ                      装着域
ｄ                      中当地の幅
ｈ                      装着域における取付幅
ｍ                      中当地の長さ
【図１】
2017060665.tif 000003
【図２】
2017060665.tif 000004
【図３】
2017060665.tif 000005
【図４】
2017060665.tif 000006
【図５】
2017060665.tif 000007
【図６】
2017060665.tif 000008
【図７】
2017060665.tif 000009
【図８】
2017060665.tif 000010
【図９】
2017060665.tif 000011
【図１０】
2017060665.tif 000012
【手続補正書】
【提出日】平成28年12月6日(2016.12.6)
【手続補正２】
【補正対象書類名】明細書
【補正対象項目名】０００１
【補正方法】変更
【補正の内容】
【０００１】
本発明は、例えば充填材を収容した枕や布団、座布団を含むクッション等の寝具類や、クッション部を備えたソファー、座椅子を含む椅子等の家具類に好適で、表地の一部を利用してインナーバッグを合理的かつ安価に製作するとともに、充填材の移動を抑制し、頭部や座部の高さを安定して維持し、例えばソファーや椅子の背当部または椅子の座部の形態とクッションの感触を長期に亘って得られ、しかもそれらの変状を抑制して快適な睡眠と安定した着座姿勢を得られる、寝具または家具類の構造に関する。
【手続補正３】
【補正対象書類名】明細書
【補正対象項目名】００１４
【補正方法】変更
【補正の内容】
【００１４】
本発明はこのような問題を解決し、例えば充填材を収容した枕や布団、座布団を含むク
ッション等の寝具類や、クッション部を備えたソファー、座椅子を含む椅子等の家具類に好適で、表地の一部を利用してインナーバッグを合理的かつ安価に製作するとともに、充填材の移動を抑制し、頭部や座部の高さを安定して維持し、例えばソファーや椅子の背当部または座部の形態とクッションの感触を長期に亘って得られ、しかもそれらの変状を抑制して快適な睡眠と安定した着座姿勢を得られる、寝具または家具類の構造を提供することを目的とする。
【手続補正４】
【補正対象書類名】明細書
【補正対象項目名】００１５
【補正方法】変更
【補正の内容】
【００１５】
請求項１の発明は、充填材を充填した寝具または家具類の内部に、寝具または家具類の表地の一部と中当地とを縫着し内部に充填材を充填したインナーバッグを配置し、該インナーバッグの端部を前記表地に縫着した寝具または家具類の構造において、表地に縫着する中当地の端部の長さを、表地の縫着部の長さよりも長尺に形成し、該中当地の端部をタックまたはギャザーを介して前記表地に縫着し、前記中当地を寝具または家具類の内部へ突出変位可能にし、充填材の移動を抑制し、頭部や座部の高さを安定して維持し、例えばソファーや椅子の背当部または座部の形態とクッションの当初の感触を長期に亘って得られ、しかもそれらの変状を抑制して、快適な睡眠と着座姿勢を得られるようにしている。
【手続補正５】
【補正対象書類名】明細書
【補正対象項目名】００１６
【補正方法】変更
【補正の内容】
【００１６】
請求項２の発明は、インナーバッグの容積を拡張可能に形成し、充填材の移動を抑制し、頭部や座部の高さを安定して維持し、クッションの感触を長期に亘って維持し得るようにしている。
請求項３の発明は、中当地の端部の一部にタックまたはギャザーを形成して、前記表地に縫着し、インナーバッグの容積を若干拡張可能にしている。
【手続補正６】
【補正対象書類名】明細書
【補正対象項目名】００１７
【補正方法】変更
【補正の内容】
【００１７】
請求項４の発明は、中当地の端部の略全域にタックまたはギャザーを形成して、前記表地に縫着し、インナーバッグの大幅な容積の拡張を図るようにしている。  
請求項５の発明は、寝具または家具類の内部に、複数のインナーバッグを平面的に離間して配置し、寝具または家具類のコンパクト化を図るとともに、インナーバッグの膨出を強力に抑制し、例えば枕の高さの変化を抑制し得るようにしている。
【手続補正７】
【補正対象書類名】明細書
【補正対象項目名】００１８
【補正方法】変更
【補正の内容】
【００１８】
請求項６の発明は、表地と中当地の平面形状を多角形、円形、楕円形、星形、ハート形、動物のキャラクターに形成し、多様な形状のインナーバッグないし枕やクッション、家具類のクッション部を形成し得るようにしている。
【手続補正８】
【補正対象書類名】明細書
【補正対象項目名】００１９
【補正方法】変更
【補正の内容】
【００１９】
請求項１の発明は、表地に縫着する中当地の端部の長さを、表地の縫着部の長さよりも長尺に形成し、該中当地の端部をタックまたはギャザーを介して前記表地に縫着し、前記中当地を寝具または家具類の内部へ突出変位可能にしたから、充填材の移動を抑制し、頭部や座部の高さを安定して維持し、例えばソファーや椅子の背当部または座部の形態とクッションの当初の感触を長期に亘って得られ、しかもそれらの変状を抑制して、快適な睡眠と着座姿勢を得られる効果がある。
【手続補正９】
【補正対象書類名】明細書
【補正対象項目名】００２０
【補正方法】変更
【補正の内容】
【００２０】
請求項２の発明は、インナーバッグの容積を拡張可能に形成したから、充填材の移動を抑制し、頭部や座部の高さを安定して維持し、クッションの感触を長期に亘って維持することができる。
請求項３の発明は、中当地の端部の一部にタックまたはギャザーを形成して、前記表地に縫着したから、インナーバッグの容積を若干拡張することができる。
【手続補正１０】
【補正対象書類名】明細書
【補正対象項目名】００２１
【補正方法】変更
【補正の内容】
【００２１】
請求項４の発明は、中当地の端部の略全域にタックまたはギャザーを形成して、前記表地に縫着したから、インナーバッグの大幅な容積の拡張を図ることができる。
請求項５の発明は、寝具または家具類の内部に、複数のインナーバッグを平面的に離間して配置したから、寝具または家具類のコンパクト化を図れるとともに、インナーバッグの膨出を強力に抑制し、例えば枕の高さの変化を抑制することができる。
【手続補正１１】
【補正対象書類名】明細書
【補正対象項目名】００２２
【補正方法】変更
【補正の内容】
【００２２】
請求項６の発明は、表地と中当地の平面形状を多角形、円形、楕円形、星形、ハート形、動物のキャラクターに形成したから、多様な形状のインナーバッグないし枕やクッション、家具類のクッション部を形成することができる。
【手続補正１２】
【補正対象書類名】明細書
【補正対象項目名】００４１
【補正方法】変更
【補正の内容】
【００４１】
図８乃至図１０は本発明の他の実施形態を示し、前述の実施形態と対応する構成部分に同一の符号を用いている。
この実施形態は本発明を同じく枕に適用しており、その内部の一側にインナーバッグ３を配置し、この他側部に別のインナーバッグ１３，１４を互いに離間して対称に配置している。
前記インナーバッグ１３，１４は平面視略三角形の略同形に形成され、その内部に同様な充填材１０，１０を充填している。
【手続補正１３】
【補正対象書類名】明細書
【補正対象項目名】００４２
【補正方法】変更
【補正の内容】
【００４２】
前記実施形態は枕の内部に、インナーバッグ３と、別のインナーバッグ１３，１４を配置し、それらによってインナーバッグ３，１３，１４の膨出を確実かつ強力に抑制し、枕の高さの変化を抑制して使用者の頚椎を適性位置で確実に支持し、快適な睡眠を得られるとともに、安定した着座姿勢を得られるようにしている。
【手続補正１４】
【補正対象書類名】明細書
【補正対象項目名】００４４
【補正方法】変更
【補正の内容】
【００４４】
このように本発明の寝具または家具類の構造は、表地の一部を利用してインナーバッグを合理的かつ安価に製作するとともに、充填材の移動を抑制し、頭部や座部の高さを安定して維持し、例えばソファーや座椅子を含む椅子の背当部または座部の形態とクッションの感触を長期に亘って得られ、しかもそれらの変状を抑制して快適な睡眠と安定した着座姿勢を得られるから、例えば充填材を収容した枕や布団、座布団を含むクッション等の寝具類や、クッション部を備えたソファー、座椅子を含む椅子等の家具類に好適である。
【手続補正１５】
【補正対象書類名】図面
【補正対象項目名】図１０
【補正方法】変更
【補正の内容】
【図１０】
2017060665.tif 000013
【手続補正１６】
【補正対象書類名】特許請求の範囲
【補正対象項目名】全文
【補正方法】変更
【補正の内容】
【特許請求の範囲】
【請求項１】
充填材を充填した寝具または家具類の内部に、寝具または家具類の表地の一部と中当地とを縫着し内部に充填材を充填したインナーバッグを配置し、該インナーバッグの端部を前記表地に縫着した寝具または家具類の構造において、表地に縫着する中当地の端部の長さを、表地の縫着部の長さよりも長尺に形成し、該中当地の端部をタックまたはギャザーを介して前記表地に縫着し、前記中当地を寝具または家具類の内部へ突出変位可能にしたことを特徴とする寝具または家具類の構造。
【請求項２】
前記インナーバッグの容積を拡張可能に形成した請求項１記載の寝具または家具類の構造。
【請求項３】
前記中当地の端部の一部にタックまたはギャザーを形成して、前記表地に縫着した請求項１記載の寝具または家具類の構造。
【請求項４】
前記中当地の端部の略全域にタックまたはギャザーを形成して、前記表地に縫着した請求項１記載の寝具または家具類の構造。
【請求項５】
前記寝具または家具類の内部に、複数のインナーバッグを平面的に離間して配置した請求項１記載の寝具または家具類の構造。
【請求項６】
前記表地と中当地の平面形状を多角形、円形、楕円形、星形、ハート形、動物のキャラクターに形成した請求項５記載の寝具または家具類の構造。